(57)【要約】【課題】  ファンの風速が予期せぬ変化を起こした場合であっても、変化を確実に捉えることが可能なファン風速表示装置を提供する。【解決手段】  ファン１からの風速を風速計２０が計測すると、風速値処理部３０が、取得した風速値と設定された変動許容範囲を比較し、変動許容範囲を超える場合に、補正設定値算出部５０が、補正設定値を算出し、ファン制御部６０が、補正設定値に基づいてファン１を制御する。また、取得した風速値が設定された通知猶予範囲を超える場合には、異常通知部７０が異常である旨を通知する。さらに、風速値処理部３０から取得した風速値を表示部４０が表示する。【選択図】  図３
2015013715.tif 000002
【特許請求の範囲】
【請求項１】
排紙部における用紙の挙動制御用のファンの設定値を調整するための装置であって、
前記排紙部において、用紙を積載した用紙積載部に対向して設置されるファンと、
前記ファンの風下側に設置され、ファンの風速を計測する風速計測手段と、
前記風速計測手段により計測された風速値を表示する表示手段と、
を有することを特徴とするファン風速表示装置。
【請求項２】
前記風速計測手段により計測された風速値が、変動を許容する範囲として設定された変動許容範囲を超える場合に、現在のファンの設定値と前記計測された風速値に基づいて、補正設定値を算出する補正設定値算出手段と、
前記算出された補正設定値に基づいて、前記ファンの駆動を制御するファン制御手段と、
をさらに有することを特徴とする請求項１に記載のファン風速表示装置。
【請求項３】
前記風速計測手段により計測された風速値が、通知を猶予する範囲として設定された通知猶予範囲を超える場合に、所定の手法により異常である旨の通知を行う異常通知手段をさらに有することを特徴とする請求項１または請求項２に記載のファン風速表示装置。
【発明の詳細な説明】
【技術分野】
【０００１】
本発明は、枚葉印刷機の排紙装置に設置されたファンの制御を行うための技術に関する。
【背景技術】
【０００２】
枚葉印刷機における排紙装置は、排紙部と用紙積載部から構成される。排紙部内には、排紙チェーンが張架されており、排紙チェーンに設置されたグリッパにより、くわえられて搬送されてきた用紙は、紙離しカムに当たることによって、グリッパから解放されて用紙積載部に落下するよう構成されている。この落下の際に用紙の動きを制御するために、排紙部にファンが取り付けられており、ファンの調整は用紙の排出に大きく影響している。ファンの調整が適切でないと、用紙がファンから発生した風に煽られて落ちることで、既に排出され下に積まれている印刷物との擦れや、排出紙への皺の発生、排出された印刷物への紙揃いが悪くなるといった不具合が生じる。
【０００３】
印刷機の排紙装置におけるシートの挙動を適正なものとするため、挙動制御手段の一つであるファンの作動最適値をオペレータごとに登録し、かつ容易に読み出すことのできる排紙装置も提案されている（例えば、特許文献１参照）。
【先行技術文献】
【特許文献】
【０００４】
【特許文献１】特開２０１０−１６２７９３号公報
【発明の概要】
【発明が解決しようとする課題】
【０００５】
上記特許文献１に示した技術は、オペレータごとに作動最適値の登録および読み出しが行うことができたり、予め設定されたプログラムを用いて条件に応じたシミュレーションを行うことができたりする等、最適なシートの挙動を実現するにあたり、設定の簡易化を行うことを特徴としている。
【０００６】
しかしながら、上記特許文献１に示した技術は、あくまで事前に行う設定値を最適なものとするためのものであり、稼動後の実際のファンの状態を反映していないという問題がある。また、ファンの劣化や装置の他の部分の異常による風速の変化にも対応てきないという問題もある。
【０００７】
そこで、本発明は、ファンの風速が予期せぬ変化を起こした場合であっても、変化を確実に捉えることが可能なファン風速表示装置を提供することを課題とする。
【課題を解決するための手段】
【０００８】
上記課題を解決するため、本発明のファン風速表示装置は、排紙部における用紙の挙動制御用のファンの設定値を調整するための装置であって、前記排紙部において、用紙を積載した用紙積載部に対向して設置されるファンと、前記ファンの風下側に設置され、ファンの風速を計測する風速計測手段と、前記風速計測手段により計測された風速値を表示する表示手段と、を有することを特徴とするファン風速表示装置。
【０００９】
本発明のファン風速表示装置は、排紙部に設置されたファンの風下側に、ファンの風速を計測するための風速計測手段を設置し、風速計測手段により計測された風速値を表示するようにしたので、ファンの風速が予期せぬ変化を起こした場合であっても、変化を確実に捉えることが可能となる。
【００１０】
また、本発明のファン風速表示装置は、前記風速計測手段により計測された風速値が、変動を許容する範囲として設定された変動許容範囲を超える場合に、現在のファンの設定値と前記計測された風速値に基づいて、補正設定値を算出する補正設定値算出手段と、前記算出された補正設定値に基づいて、前記ファンの駆動を制御するファン制御手段と、をさらに有することを特徴とする。
【００１１】
本発明のファン風速表示装置は、計測された風速値が、設定された変動許容範囲を超える場合に、補正設定値を算出し、算出された補正設定値に基づいてファンの駆動を制御するようにしたので、ファンの現実の状態に対応して適切な風速の設定を行うことが可能となる。
【００１２】
また、本発明のファン風速表示装置は、前記風速計測手段により計測された風速値が、通知を猶予する範囲として設定された通知猶予範囲を超える場合に、所定の手法により異常である旨の通知を行う異常通知手段をさらに有することを特徴とする。
【００１３】
本発明のファン風速表示装置は、計測された風速値が、設定された通知猶予範囲を超える場合に、異常である旨の通知を行うようにしたので、ファンの状態に大きな変化が起きた場合に、オペレータが即座に把握することが可能となる。
【発明の効果】
【００１４】
本発明によれば、ファンの風速が予期せぬ変化を起こした場合であっても、変化を確実に捉えることが可能となる。
【図面の簡単な説明】
【００１５】
【図１】本発明の一実施形態に係るファン風速表示装置の適用対象となる排紙部の概略を示す側面図である。
【図２】ファンに対する風速計の設置位置を示す図である。
【図３】本発明の一実施形態に係るファン風速表示装置の機能ブロック図である。
【図４】本発明の一実施形態に係るファン風速表示装置の処理動作を示すフローチャートである。
【発明を実施するための形態】
【００１６】
以下、本発明の好適な実施形態について、図面を参照して詳細に説明する。
＜１．排紙部の概略＞
図１は、本発明の一実施形態に係るファン風速表示装置の適用対象となる排紙部の概略を示す側面図である。図１において、１はファン、２はグリッパ、３ａ及び３ｂはスプロケット、４は紙離しカム、５は排紙フレーム、６は用紙積載部、７は排紙チェーンである。図１中、スプロケット３ａ、３ｂ内の矢印は、各スプロケットの回転方向を示し、排紙チェーン７上の右向きの矢印は排紙チェーン７の移動方向を示している。
【００１７】
排紙フレーム５は、用紙搬送方向に対して左右両側から排紙部全体を挟むように左右一対で設けられるものであり、図１の側面図では、一方の側面側の排紙フレーム５のみを示している。排紙フレーム５内においては、一対のスプロケット３ａ、３ｂに対して、排紙チェーン７が張架されている。排紙チェーン７は、実際には、用紙搬送方向に対して左右（図１においては手前側と奥側）２つが備えられているが、図１は、側面図であるため、図面手前側の排紙チェーン７のみ図示し、図面奥側の排紙チェーン７は図示を省略している。左右の排紙チェーン７の間には一定間隔をおいて複数の爪竿が支架されており、各爪竿には、グリッパ２が設置されている。グリッパ２は、爪と爪台からなり爪竿に設置されるものであるが、その構成は公知であるので詳細は省略する。
【００１８】
紙離しカム４は、図示しないアクチュエータによりその位置が移動可能に設置されており、グリッパ２が用紙を解放する位置を変えられるようになっている。アクチュエータを備えず、他の公知の手段により紙離しカム４を移動可能な構成となっていても良い。用紙積載部６は、紙離しカム４の鉛直方向下方に設置されている。そのため、グリッパ２に先端部をくわえられて搬送されてくる用紙は、紙離しカム４に当たることにより、爪のくわえから解放されて用紙積載部６に落下するように構成されている。ファン１は、ファン回転部１ａが回転することにより送風を行うものであり、用紙の用紙積載部６への落下の際に用紙の動きを制御するために、取り付けられている。具体的には、用紙積載部６の鉛直方向上方であって、かつ左右の排紙チェーン７の間の位置に、鉛直方向下方に送風されるように設置されている。ファン１は、その送風強度、送風面の面積等に応じて、適切な数を設置することができる。図１の例では、ファン１が５個設置された状態を示している。
【００１９】
＜２．ファンへの風速計の設置＞
図２は、ファンに対する風速計の設置位置を示す下面図である。図２は、鉛直下方から見た状態、すなわち、図１に示した用紙積載部６の側から見た状態を示している。図２において、１ａは、駆動部により実際に回転駆動されて送風を行うファン回転部であり、１ｂは、ファン回転部１ａを保護するためのファン外枠、２０は、ファン１の風速を計測するための風速計、１００は、風速計２０に接続され、風速計２０からの出力に応じて、ファン１の制御を行う制御部である。
【００２０】
風速計２０は、風速を計測するための風速計測手段であり、風を受けて風の強度に応じた信号を出力することができるものであれば、公知の種々の形態のものを採用することができる。本実施形態の風速計２０は、風車を備え、ファン１からの風を受けて回転した風車の回転速度に応じた強度の信号を出力することができるものとなっている。図２に示すように、風速計２０は、ファン１の下側に、ファン回転部１ａの回転軸と、風速計２０の風車の回転軸が平行となるように設置されている。当然のことながら、ファン１により送風される方向、すなわち、風下側に設置されている。設置手法としては、所定の位置に固定できる手法であれば、どのような手法であっても良いが、本実施形態では、ファン外枠１ｂと風速計２０の外枠とにそれぞれ設けた孔同士を合わせ、ボルトで固定することにより設置している。図１に示したように、５個のファン１が設置されている場合、各ファン１に対して、図２に示したような態様で、それぞれ風速計２０が設置されている。
【００２１】
＜３．ファン風速表示装置の構成＞
図３は、本発明の一実施形態に係るファン風速表示装置の構成を示す機能ブロック図である。図３において、１はファン、２０は風速計、３０は風速値処理部、４０は表示部、５０は補正設定値算出部、６０はファン制御部、７０は異常通知部である。図２に示した制御部１００は、風速値処理部３０、補正設定値算出部５０、ファン制御部６０に相当する。図３においては、ファン１つに対して、各構成要素２０〜６０を１つだけ設けた状態を示しているが、現実には、風速計２０は、各ファンに対して１つずつ設置され、他の構成要素３０〜６０は、１つ乃至複数設置され、適宜分担して処理が行われる。
【００２２】
風速計２０は、Ａ／Ｄ変換器を備え、上述のように風車の回転に応じて取得した信号をデジタル変換し、風の強度を示す風速値として風速値処理部３０に出力する。風速値処理部３０は、風速計２０から風速値を取得し、取得した風速値に基づいて、表示部４０に風速値を表示させる。また、風速値処理部３０は、取得した風速値と事前に設定された範囲とを比較し、所定の条件を満たす場合に、異常通知部７０に異常を示す旨の信号を出力する。また、風速値処理部３０は、取得した風速値と事前に設定された範囲とを比較し、所定の条件を満たす場合に、補正設定値の算出の命令信号を風速値とともに補正設定値算出部５０に出力する。
【００２３】
表示部４０は、風速値処理部３０から取得した風速値を表示するものであり、液晶ディスプレイ等の公知の表示デバイスにより実現される。補正設定値算出部５０は、風速値処理部３０から取得した風速値に応じて、ファン１の出力を調整する補正設定値を算出するものである。補正設定値算出部５０は、ファン１の設定値を保持しており、この設定値と取得した風速値に基づいて新たな補正設定値を算出する。
【００２４】
ファン制御部６０は、補正設定値算出部５０から受け取った補正設定値を用いてファン１の出力を設定する。異常通知部７０は、風速値処理部３０から異常を示す旨の信号を受け取った場合に、所定の方式により異常の通知を行うものであり、音で異常を通知するスピーカ、光で異常を通知する発光装置等により実現される。異常通知部７０としてのデバイスを表示部４０と兼用して、異常である旨を点滅表示させるようにしても良い。音で通知する場合は、ブザー音のような、緊急性を感じる音にすることが好ましい。
【００２５】
風速値処理部３０、補正設定値算出部５０、ファン制御部６０は、ＣＰＵ（Central Processing Unit）、ＲＡＭ（Random Access Memory）を備えた制御部１００の一部であり、所定のプログラムをＣＰＵが実行することにより実現される。
【００２６】
＜４．処理概要＞
次に、本実施形態に係るファン風速表示装置の処理動作について説明する。図４は、本実施形態に係るファン風速表示装置の処理動作を示すフローチャートである。風速計２０は、計測して得られた風速値を所定のタイミングで定期的に風速値処理部３０に送信する。図４のフローチャートは、風速値処理部３０が風速計２０から取得した風速値に対する処理を示している。まず、風速値処理部３０は、風速計２０から風速値を取得する（ステップＳ１０）。
【００２７】
続いて、風速値処理部３０は、風速計２０から取得した風速値が、変動を許容する範囲である変動許容範囲を超えているか否かを判断する（ステップＳ２０）。変動許容範囲としては、任意の値を適宜設定しておくことが可能であるが、本実施形態では、基準値の８０％〜１２０％の範囲を設定している。ステップＳ２０において、風速値が、変動許容範囲外である場合、すなわち、風速値が設定値の８０％に満たないか、または風速値が設定値の１２０％を超える場合には、風速値処理部３０は、異常通知部７０に異常である旨を示す信号を出力する。
【００２８】
異常通知部７０は、風速値処理部３０から、異常である旨を示す信号を受け取ると、異常通知部７０の特性に応じた異常の通知処理を行う（ステップＳ３０）。例えば、異常通知部７０がスピーカ等の音を発する部材である場合、ブザー音等の警告音を発する。また、異常通知部７０が液晶ディスプレイ等の情報を表示するデバイスである場合、異常である旨を点滅表示する。警告表示を行う場合、赤色等の人の注意を引く色で行うと、なお効果的である。異常通知部７０としては、音または表示のいずれかでなく、両方により異常通知を行うようにしても良い。
【００２９】
一方、ステップＳ２０において、風速値が、変動許容範囲内である場合、すなわち、８０％〜１２０％の範囲内である場合、風速値処理部３０は、風速計２０から取得した風速値が通知を猶予する範囲である通知猶予範囲を超えているか否かを判断する（ステップＳ４０）。通知猶予範囲としても、変動許容範囲と同様、任意の値を適宜設定しておくことが可能であるが、本実施形態では、基準値の９５％〜１０５％の範囲を設定している。ステップＳ４０において、風速値が、通知猶予範囲外である場合、すなわち、風速値が基準値の９５％に満たないか、または風速値が基準値の１０５％を超える場合には、風速値処理部３０は、補正設定値算出部５０に補正設定値の算出の命令信号を出力する。
【００３０】
補正設定値算出部５０は、風速値処理部３０から、補正設定値の算出の命令信号を受け取ると、風速値に対する補正設定値の算出処理を行う（ステップＳ５０）。具体的には、設定値と風速値の比率に基づいて、新たな補正設定値を算出する。本実施形態では、補正設定値算出部５０が、以下の〔数式１〕に従った処理を実行することにより、算出する。
【００３１】
〔数式１〕
Ｈ＝Ｆ／Ｖ
Ｖ´＝Ｖ／Ｈ
【００３２】
上記〔数式１〕において、Ｆは計測された風速値、Ｖは現在のファン１の設定値、Ｈは風速値Ｆの設定値Ｖに対する比率、Ｖ´は補正設定値である。〔数式１〕に示すように、補正設定値Ｖ´は、風速値Ｆを設定値Ｖで除することにより得られた比率Ｈで、設定値Ｖを除することにより算出される。
【００３３】
補正設定値が算出されたら、ファン制御部６０が、ファン１の制御を行う（ステップＳ６０）。具体的には、現在設定されているファン１の設定値を、補正設定値算出部５０により算出された補正設定値になるように変更する。これにより、ファン１は、当初設定時に目標としていた風速になるように回転数が変更される。
【００３４】
一方、ステップＳ４０において、風速値が、通知猶予範囲内である場合、すなわち、基準値の９５％〜１０５％の範囲内である場合、風速値処理部３０は、特に何も行わない。風速値が、設定値の９５％〜１０５％の範囲内である場合は、正常な範囲内と判断し、当初の設定値を変更せずにファン１を駆動させ続ける。
【００３５】
また、ステップＳ１０において風速値処理部３０により取得された風速値は、風速値処理部３０が順次表示部４０に出力し、表示部４０は風速値処理部３０から取得した風速値を表示する。表示部４０に実際のファン１の風速値がリアルタイムで表示されることにより、オペレータは、実際のファン１の風速値を随時知ることが可能となり、ファン１を適正に制御するために役立つ。
【００３６】
以上、本発明の好適な実施形態について説明したが、本発明は上記実施形態に限定されず、種々の変形が可能である。例えば、上記実施形態では、異常通知を行うための変動許容範囲と、補正出力値算出のための通知猶予範囲を互いに異なる範囲とし、変動許容範囲が通知猶予範囲を含むようにしたが、両者の関係は適宜変更することができる。例えば、通知猶予範囲が変動許容範囲を含むように設定しても良いし、変動許容範囲と通知猶予範囲の上限同士または下限同士が一致するように設定しても良いし、変動許容範囲と通知猶予範囲が完全に一致するように設定しても良い。
【符号の説明】
【００３７】
１・・・ファン
１ａ・・・ファン回転部
１ｂ・・・ファン外枠
２・・・グリッパ
３ａ、３ｂ・・・スプロケット
４・・・紙離しカム
５・・・排紙フレーム
６・・・用紙積載部
７・・・排紙チェーン
１０・・・排紙部
２０・・・風速計
３０・・・風速値処理部
４０・・・表示部
５０・・・補正設定値算出部
６０・・・ファン制御部
７０・・・異常通知部
１００・・・制御部
【図１】
2015013715.tif 000003
【図２】
2015013715.tif 000004
【図３】
2015013715.tif 000005
【図４】
2015013715.tif 000006